(57)【要約】【課題】原画像情報とサムネイル画像との対応を確実に行うと共に、これを利用した通信プロトコルを定め、サムネイル画像を利用することにより、撮影直後における高速画像転送及び撮影結果の確認を行う。【解決手段】電子撮像素子で撮影された画像を保管する眼底撮影手段３と、画像保管手段を内包する画像ファイリング装置７とを備えた眼科画像生成システムにおいて、撮影された撮影画像データを眼底撮影手段３に保管すると共に、撮影画像データに対し低容量のサムネイル画像データを画像ファイリング装置７に送信する第１のステップと、送信されたサムネイル画像データを表示手段９上に表示する第２のステップと、送信スイッチにより第１、第２のステップの繰り返し終了を受け、眼底撮影手段３に保管されている複数の撮影画像データを画像ファイリング装置７に一括転送する第３のステップから成る送信プロトコルを有する。【選択図】        図１
2005027844.tif 000002
【特許請求の範囲】
【請求項１】
電子画像を生成する撮像素子を有する撮像手段と、前記撮像素子により撮影するための撮影スイッチと、前記撮像素子により撮影された画像を保管する第１の画像保管手段と、前記画像を表示する表示手段と、前記画像を保存するための第２の画像保管手段を内包する画像ファイリング手段と、該画像ファイリング手段と前記第１の画像保管手段とを結ぶ通信手段とを備えた眼科画像生成システムにおいて、前記撮像ヘッドで撮影された撮影画像データを前記第１の画像保管手段に保管すると共に、前記撮影画像データに対し低容量のサムネイル画像データを前記通信手段を介して前記画像ファイリング手段に送信する第１のステップと、前記送信されたサムネイル画像データを表示する第２のステップと、前記送信スイッチにより前記第１、第２のステップの繰り返し終了を受け、前記第１の画像保管手段に保管されている複数の撮影画像データを前記画像ファイリング手段に一括転送する第３のステップとから成る送信プロトコルを有することを特徴とする眼科画像生成システム。
【請求項２】
前記送信プロトコルのうち前記第１のステップを有し、又はスキップして前記第２のステップの終了を受け、前記第１の画像保管手段に保管されている単一の撮影画像データを前記画像ファイリング手段に転送する前記第３のステップから成る送信プロトコルと切換可能としたことを特徴とする請求項１に記載の眼科画像生成システム。
【請求項３】
前記送信プロトコルは前記第１、第２のステップの繰り返し終了を受け、前記第１の画像保管手段に保管されている複数の撮影画像データを前記画像ファイリング手段に時分割で転送する前記第３のステップから成る送信プロトコルと切換え可能としたことを特徴とする請求項１又は２に記載の眼科画像生成システム。
【請求項４】
前記画像ファイリング手段は患者情報を含む検査依頼情報を生成又は受信する検査依頼管理手段を有し、前記検査依頼情報に基づいた撮影種別に応じて、撮影画像データ転送の送信プロトコルを切換えることを特徴とする請求項２に記載の眼科画像生成システム。
【請求項５】
前記第２の画像保管手段に撮影画像データを保管する際に、該撮影画像データを特定できる画像特定情報を前記撮影画像データのヘッダ部に書き込むヘッダ形成手段を有し、前記画像特定情報を用いて前記撮影画像データと前記サムネイル画像に１対１の対応を持たせることを特徴とする請求項１〜４の何れか１つの請求項に記載の眼科画像生成システム。
【請求項６】
前記画像ファイリング手段は、患者情報を含む検査依頼情報を生成又は受信する検査依頼管理手段と、前記通信手段により送られてきたサムネイル画像データと患者情報を含む前記検査依頼情報との対応を記憶する記憶手段とを有し、前記転送された撮影画像データに対し、前記記憶手段の出力を基に患者情報を含む前記検査依頼情報を統合することを特徴とする請求項１〜５の何れか１つの請求項に記載の眼科画像生成システム。
【請求項７】
前記画像ファイリング手段は、患者情報を含む検査依頼情報を生成又は受信する検査依頼管理手段と、前記通信手段により送られてきたサムネイル画像データと患者情報を含む前記検査依頼情報との対応を記憶する記憶手段とを有し、前記転送された撮影画像データに対し、前記記憶手段の出力を基に撮影機器の撮影時情報を含む前記検査依頼情報を統合することを特徴とする請求項１〜６の何れか１つの請求項に記載の眼科画像生成システム。
【発明の詳細な説明】
【０００１】
【発明の属する技術分野】
本発明は、眼科病院等で使用される眼底カメラやフォトスリットランプ等の眼科機器により得られる眼底画像等の画像情報を処理する眼科画像生成システムに関するものである。
【０００２】
【従来の技術】
従来から、被検眼を撮影する眼底カメラ等の眼科撮影装置においては、一般に撮影した眼底画像を３５ｍｍフィルムやインスタントフィルム等に記録する方式が用いられているが、近年のデジタル画像機器の技術進歩に伴い、眼底カメラの撮像面にＣＣＤ等の電子撮像素子を搭載した撮像ヘッドを用いてデジタル画像を生成し、得られたデジタル画像をホストコンピュータを介して画像処理及び管理を行う方式に移行しつつある。
【０００３】
このような所謂デジタル撮影方式による眼科画像生成システムにおいては、撮影直後に撮影像を確認することも可能であり、必要に応じた画像の加工処理やホストコンピュータによる秘匿管理や参照が容易であり、長期管理における画質の劣化が無い等の利点を有している。例えば特許文献１においては、静止画撮影用に動画用テレビカメラを使用した例が開示されている。
【０００４】
また、近年の電子撮像素子の高解像度化に伴う画像データサイズの肥大化に鑑み、ホストコンピュータとデジタル撮影方式による眼科撮影機器との接続においては、眼科撮影機器内の記録媒体に一時記録されている画像データを、画像データサイズの小さな所謂サムネイル画像に変換してホストコンピュータ上に一覧表示するものがある。
【０００５】
更に、ホストコンピュータ上のアプリケーションソフトから、ホストコンピュータに接続された眼科撮影機器の撮影操作を行い、眼科撮影機器内に画像情報を記録し、記録した画像情報をホストコンピュータに転送して表示・保存を行うものもある。例えば特許文献２においては、撮影した画像情報を撮影機器に保存することなく、直接ＰＣへ転送して使用するシステムが開示されている。
【０００６】
【特許文献１】
特開平１−３０５９２３号公報
【特許文献２】
特開２０００−１３７７９６号公報
【０００７】
【発明が解決しようとする課題】
しかしながら上述の従来例においては、原画像情報とサムネイル画像の対応や高速画像転送等に種々の問題を有している。
【０００８】
本発明の目的は、原画像情報とサムネイル画像との対応を確実に行うと共に、これを利用した通信プロトコルを定め、サムネイル画像を利用することにより、撮影直後における高速画像転送及び撮影結果の確認が行える眼科画像生成システムを提供することにある。
【０００９】
【課題を解決するための手段】
上記目的を達成するための本発明に係る眼科画像生成システムは、電子画像を生成する撮像素子を有する撮像手段と、前記撮像素子により撮影するための撮影スイッチと、前記撮像素子により撮影された画像を保管する第１の画像保管手段と、前記画像を表示する表示手段と、前記画像を保存するための第２の画像保管手段を内包する画像ファイリング手段と、該画像ファイリング手段と前記第１の画像保管手段とを結ぶ通信手段とを備えた眼科画像生成システムにおいて、前記撮像ヘッドで撮影された撮影画像データを前記第１の画像保管手段に保管すると共に、前記撮影画像データに対し低容量のサムネイル画像データを前記通信手段を介して前記画像ファイリング手段に送信する第１のステップと、前記送信されたサムネイル画像データを表示する第２のステップと、前記送信スイッチにより前記第１、第２のステップの繰り返し終了を受け、前記第１の画像保管手段に保管されている複数の撮影画像データを前記画像ファイリング手段に一括転送する第３のステップとから成る送信プロトコルを有することを特徴とする。
【００１０】
【発明の実施の形態】
本発明を図示の実施の形態に基づいて詳細に説明する。
図１は第１の実施の形態における眼科撮影装置の外観構成図を示している。基体１上に測定部２が移動自在に載置され、測定部２には眼底撮影手段３、４、ファインダ５が設けられ、測定部２はインタフェイス６を介して、例えばコントロール用ＰＣ（パーソナルコンピュータ）から成る画像ファイリング装置７に接続されている。また、基台１には操作桿８、表示手段９が配置されている。
【００１１】
図２は光学的・電気的構成図を示し、ハロゲンランプ等の観察用光源１１から被検眼Ｅに向かう光路Ｏ１上には、観察用光源１１側からコンデンサレンズ１２、ストロボ発光するキセノンランプ等の眼底撮影用光源１３、コンデンサレンズ２４、小瞳孔径に対応するために複数配置された円環状開口部を有するリングスリットユニット１５、光路Ｏ１に挿脱自在なＩＣＧ蛍光撮影用エキサイタフィルタ１６、光路Ｏ１に挿脱自在な可視蛍光撮影用エキサイタフィルタ１７、紫外線カットフィルタ１８、水晶体バッフル１９、リレーレンズ２０、角膜バッフル２１、中心開口を有する孔あきミラー２２が順次に配列され、この孔あきミラー２２の反射方向には、前眼／眼底切換レンズユニット２３、対物レンズ２４が配置され、更に観察用光源１１の背面には凹面反射鏡２５が配置されている。
【００１２】
孔あきミラー２２の背後の光路Ｏ２上には、光路Ｏ２に挿脱自在な可視蛍光撮影用バリアフィルタ２６、フォーカスレンズ２７、撮影レンズ２８、可倒ミラー２９、ＣＣＤ等の電子撮像素子３０を内蔵し眼底像を撮影するための眼底撮影手段３が順次に配置されている。
【００１３】
また、可倒ミラー２９の反射方向の光路Ｏ３上には、可倒ミラー３１、ミラー３２、ＩＣＧ撮影用バリアフィルタ３３、ＣＣＤ等の電子撮像素子３４を内蔵し動画又は静止画用の眼底撮影手段４が順次に配置されている。そして、可倒ミラー３１が光路Ｏ３上に挿入された場合の反射光路Ｏ４には接眼レンズ３５を有するファインダが設けられている。
【００１４】
眼底撮影手段３、眼底撮影手段４の画像出力は、それぞれ撮影制御部４１に接続されている。更に、この撮影制御部４１には、眼底撮影手段３で撮影された画像データを一時保管する撮影画像記録手段４２、画像を表示する表示手段９、操作桿８に設けた撮影釦４３、インタフェイス６を介して接続した画像ファイリング装置７、眼底撮影用光源１３の発光光量を制御する光量制御手段４４が接続されている。
【００１５】
前眼／眼底切換レンズユニット２３の切換により選択された前眼部又は眼底部の観察時においては、撮影者が下記に示す撮影種別（１）〜（４）を設定することにより、設定した撮影種別による画像転送モードが画像ファイリング装置７から読み出され、眼底撮影手段３、動画又は静止画用の眼底撮影手段４、撮影画像記録手段４２、発光光量制御手段４４に設定される。
【００１６】
（１）ＣＯＬＯＲ撮影
可視光を用いたフルカラー撮影の場合には、観察用光源１１から発した観察像光束はリングスリットユニット１５において円環状光束となり、孔あきミラー２２で反射され、対物レンズ２４を通り、被検眼Ｅの眼底Ｅｒを照明する。眼底Ｅｒからの反射像は、対物レンズ２４、孔あきミラー２２の孔部、フォーカスレンズ２７、撮像レンズ２８、可倒ミラー２９、３１、接眼レンズ３５を介してファインダ画像となる。
【００１７】
更に、撮影者はこのファインダ画像を観察しながらピントを合わせ、撮影部位の確認、フレアの有無を確認しながら撮影釦４３を押すと、可倒ミラー２９は光路Ｏ２外に退避し、眼底撮影用光源１３が発光し、その光束は観察時と同様に被検眼Ｅを照明し、眼底像は対物レンズ２４、孔あきミラー２２の孔部、フォーカスレンズ２７、撮影レンズ２８を通って眼底撮影手段３の電子撮像素子３０上に静止画像として結像し、撮影画像記録手段４２に記録される。
【００１８】
撮影画像記録手段４２に記録された眼底像は、表示手段９に表示されると共に、インタフェイス６を介して画像ファイリング装置７に転送される。本撮影種別では、画像転送時間等から１フレーム／３秒程度の撮影間隔となっている。
【００１９】
（２）ＦＡ（連写モード）撮影
可視光を用いた蛍光撮影の場合には、被検者に可視波長域の発光色素を静注した後に、照明系光学経路の光路Ｏ１に可視蛍光撮影用エキサイタフィルタ１７、撮影系光学経路の光路Ｏ２に可視蛍光撮影用バリアフィルタ２６を挿入し、眼底Ｅｒの造影像を撮影する。
【００２０】
観察用光源１１からの照明光は、リングスリットユニット１５においてリング状光束とされた後に、可視蛍光撮影用エキサイタフィルタ１７により励起用の特定波長光が選択され、孔あきミラー２２で反射され、対物レンズ２４を通り被検眼Ｅの眼底Ｅｒを照明する。この照明光により励起された発色色素は励起波長域により、長波長側にシフトした蛍光を発生し血管を造像する。血管像は対物レンズ２４、孔あきミラー２２の孔部を通過後に、蛍光波長域のみを透過する可視蛍光撮影用バリアフィルタ２６により蛍光のみが通過した後に、フォーカスレンズ２７、撮像レンズ２８、可倒ミラー２９、３１、接眼レンズ３５を介してファインダ画像となる。
【００２１】
更に、撮影者はこのファインダ画像を観察しながらピントを合わせ、撮影部位の確認、フレアの有無確認を行った後に撮影釦４３を押すことにより、可倒ミラー２９は光路Ｏ３外に退避し、眼底撮影用光源１３が発光し、その光束は観察時と同様に被検眼Ｅを照明し、眼底像は対物レンズ２４、孔あきミラー２２の孔部、可視蛍光撮影用バリアフィルタ２６、フォーカスレンズ２７、撮影レンズ２８を介して眼底撮影手段３の電子撮像素子３０上に結像し、撮影画像記録手段４２に記録される。
【００２２】
このように撮影された眼底像は、静止画像フレーム毎に表示手段９に表示されると共に、インタフェイス６を介して画像ファイリング装置７に転送される。本撮影種別では、画像転送時間等から１フレーム／１秒程度の撮影間隔となっている。
【００２３】
（３）ＦＡ（高精細モード）撮影
前述の（２）のＦＡ（連写モード）撮影と同様に、可視光を用いた蛍光撮影であり、本撮影種別では（２）とは異なり、撮影画像記録手段４２に記録される画像データはより高精細な静止画像であり、表示手段９に表示されると共に、インタフェイス６を介して画像ファイリング装置７に転送される。また、本撮影種別では、画像転送時間等から１フレーム／３秒程度の撮影間隔となっている。
【００２４】
（４）ＩＣＧ撮影
近赤外線を用いた蛍光撮影の場合には、被検者に近赤外波長域の発光色素を静注後に、光路Ｏ１にＩＣＧ蛍光撮影用エキサイタフィルタ１６、光路Ｏ４にバリアフィルタ３３を挿入し、眼底Ｅｒの造影像を撮影する。
【００２５】
観察用光源１１からの観察像光束は、リングスリットユニット１５においてリング状光束となり、ＩＣＧ蛍光撮影用エキサイタフィルタ１６により励起用の特定波長光が選択され、孔あきミラー２２で反射され、対物レンズ２４を通り被検眼Ｅの眼底Ｅｒを照明する。照明光により励起された発色色素は、励起波長域により長波長側にシフトした蛍光を発生し血管を造影する。
【００２６】
この眼底像は対物レンズ２４、孔あきミラー２２の孔部、フォーカスレンズ２７、撮像レンズ２８を介して可倒ミラー２９において反射され、ＩＣＧ動画像観察時には、可倒ミラー３１が光路Ｏ４外に退避することにより、ミラー３２、ＩＣＧ撮影用バリアフィルタ３３を介して、眼底撮影手段４の電子撮像素子３４上に結像し、この際に結像した眼底像は表示手段９に表示される。
【００２７】
更に、撮影者は表示手段９に映出された眼底像を観察しながら、ピントを合わせ、撮影部位の確認、フレアの有無確認を行った後に撮影釦４３を押すと、眼底撮影用光源１３が発光する。そして、その光束は観察時と同様に被検眼Ｅを照明し、眼底像は対物レンズ２４、孔あきミラー２２の孔部、フォーカスレンズ２７、撮影レンズ２８、可倒ミラー２９、ミラー３２、ＩＣＧ撮影用バリアフィルタ３３を介して、眼底撮影手段４の電子撮像素子３４上に結像した眼底像は静止画像として、撮影画像記録手段４２に記録される。この撮影画像記録手段４２に記録された静止画像は、表示手段９に表示されると共に、インタフェイス６を介して画像ファイリング装置７に転送される。本撮影種別では、画像転送時間等から１フレーム／１秒程度の撮影間隔となっている。
【００２８】
図３は上述の各モードにおける撮影画像記録手段４２に一時保存される撮影画像データの概略図を示している。眼底撮影手段３又は眼底撮影手段４で撮影された眼底像は画像圧縮処理が施され、例えばＪＰＥＧフォーマットの撮影画像データＤ１として記録される。同時に、画素情報を間引いた解像度の小さなＪＰＥＧフォーマットのサムネイル画像データＤ２も同時に作成される。更に、撮影画像データＤ１及びサムネイル画像データＤ２のヘッダ部分には、装置の機体番号、右眼左眼の区別、撮影画角、撮影時刻等眼底カメラヘッドの撮影情報と共に、同じ画像ＩＤが記録される。
【００２９】
図４は画像ファイリング装置７上に表示される眼底画像表示ウィンドウ５１を示している。図５は撮影画像データである眼底画像と、この眼底画像から作成されたサムネイル画像との対応に関する処理を示すフローチャート図である。
【００３０】
先ず、ステップＳ５０１において、画像ファイリング装置７上で眼底画像表示ウィンドウ５１が起動すると、ステップＳ５０２において、眼底撮影装置は撮影した眼底像のＪＰＥＧ記録画像を作成すると共に、このＪＰＥＧ記録画像を基にサムネイル画像を作成する。続いて、ステップＳ５０３において作成されたサムネイル画像は直ちに画像ファイリング装置７に転送され、サムネイル画像一覧ファイルに追加され、ステップＳ５０４において図４に示すようにサムネイル画像表示領域Ａ１に一覧表示される。
【００３１】
ここで十分に長い撮影間隔で撮影が行われている場合には、眼底撮影手段３、４内のＪＰＥＧ記録画像はサムネイル画像の転送を優先しながら、これと平行して画像ファイリング装置７に転送するよう構成することも可能であり、ステップＳ５０５、Ｓ５０６でこの転送が完了すると、ステップＳ５０７においてＪＰＥＧ記録画像一覧ファイルに追加される。
【００３２】
また、ポインティングデバイス等によって、注目するサムネイル画像Ｆを選択すると、ステップＳ５０８においてサムネイル画像Ｆのファイル名Ｎと同じファイル名を有する撮影画像データがステップＳ５０７におけるＪＰＥＧ記録画像一覧ファイルの中から読み出され、眼底画像表示領域Ａ２に表示される。なお、ＪＰＥＧ記録画像一覧ファイル中に該当の画像が見つからない場合は、ステップＳ５０９において眼底撮影手段３、４内のＪＰＥＧ画像からの該当の画像の転送を待って、これを眼底画像表示領域Ａ２に表示する。
【００３３】
ステップＳ５１０において、眼底画像表示ウィンドウ５１中の終了ボタンＢが選択されると、ステップＳ５１１に進み、眼底撮影手段３、４内の全てのＪＰＥＧ記録画像が画像ファイリング装置７に転送される。ここでは、眼底撮影手段３、４側の終了アクション、ステップＳ５１２によっても同様の転送する構成も可能である。
【００３４】
図６は第２の実施の形態における眼底撮影装置の情報伝達の模式図を示している。本実施の形態において、第１の実施の形態と同じ符号は同じ部材を示している。画像ファイリング装置７には上位システムとしてＣＰＵ６１が接続されている。
【００３５】
画像ファイリング装置７は、ＣＰＵ６１から検査依頼情報Ｉを受信すると、この検査依頼情報Ｉを基に、撮影管理情報を発生する。ＣＰＵ６１がない場合には、画像ファイリング装置７が検査依頼情報を生成できるように構成することも可能である。
【００３６】
図７は画像ファイリング装置７上に表示された撮影管理情報を示すメイン画面Ｍを示しており、被検者である患者ＩＤ、撮影種別情報、撮影対象左右眼［Ｒ／Ｌ］が表示されている。この検査一覧から次に行う検査項目Ｃを選択することにより、検査種別が自動的に選択され、画像ファイリング装置７から眼底撮影手段３に、撮影管理情報として、患者ＩＤ、撮影種別情報と、これに従属する撮影パラメータが転送される。
【００３７】
表１は選択された撮影種別と、画像転送方法の対応を示すものであり、撮影種別が選択されると、予め決定した最大撮影間隔に基づいて、転送方法（１）が実行される。なお、ＪＰＥＧ記録画像を作成した際に判明するＪＰＥＧ記録画像の大きさと転送速度から、最大撮影間隔未満の転送が不可能であると判断された場合には、転送方法（２）を実行する構成とすることも可能である。
【００３８】
2005027844.tif 000003
【００３９】
転送方法（１）、（２）において、［撮影画像］は、撮影サイクル終了の度にＪＰＥＧ撮影画像を転送する。
［サムネイル画像転送＋撮影画像］は、撮影サイクル終了の度にサムネイル画像を転送し、続いてＪＰＥＧ撮影画像を転送する。
【００４０】
［サムネイル画像転送＋撮影画像］は、撮影サイクル終了の度にサムネイル画像を転送する。通信経路の開きを待つか、或いは画像ファイリング装置７からの転送要求により、ＪＰＥＧ撮影画像を転送する。
【００４１】
［サムネイル画像転送］は、撮影サイクル終了の度にサムネイル画像を転送し、一連の撮影動作が終了すると、全てのＪＰＥＧ撮影画像を一括転送する。
【００４２】
図８は撮影画像記録手段４２に格納される撮影画像データの説明図を示している。眼底撮影手段３又は動画像撮像手段３６で撮影された眼底像は画像圧縮処理が施され、ＪＰＥＧフォーマット撮影画像データＤ１として記録される。同時に、画素情報を間引いた解像度の小さな画像ファイルサイズのサムネイル画像データＤ２が作成される。
【００４３】
撮影画像データＤ１及びサムネイル画像データＤ２のヘッダ部分には、「同一ファイル名＋異なる拡張子」等の一部を共通とするファイル名称が付与されると共に、患者ＩＤ、撮影種別情報と、これに従属する撮影パラメータ等で構成される検査依頼情報フィールドが付与される。なお、検査依頼情報Ｉが独立したファイル構造であれば、検査依頼情報フィールドはこの検査依頼情報Ｉを示すファイル名であってもよい。
【００４４】
なお、以上の実施の形態では眼底撮影装置について説明したが、フォトスリットランプ等の他の眼科撮影装置、或いはＸ線デジタル撮影装置でも同様な効果を適用することができる。
【００４５】
【発明の効果】
以上説明したように本発明に係る眼科画像生成システムは、次に列挙するような効果を有する。
【００４６】
（１）撮影された画像データに対し、解像度の小さな画像ファイルサイズのサムネイル画像を、画像ファイリング装置へ送信する第１のステップと、この送信されたサムネイル画像を表示する第２のステップと、第１、第２のステップの繰り返し終了を受け、画像保管手段に保管されている複数の画像を画像ファイリング手段に一括或いは時分割で転送する第３のステップから成る送信プロトコルを有することで、撮影成功の可否を直ちに判定することができる。
【００４７】
（２）恒久保存を行う画像ファイリング手段に、患者情報を含む検査依頼情報を生成又は受信する検査依頼管理手段を設け、送信プロトコルの第３ステップが、検査依頼を選択することで決まる撮影種別により、撮影画像データの転送方法を切換えることで、撮影種別のそれぞれに最適な撮影間隔を実現することができる。
【００４８】
（３）サムネイル画像のファイル名と前記画像保管手段に保存される画像のファイル名に、複数の眼科画像生成システムが稼働するデジタル通信手段においても１対１の対応を持たせ、特に、サムネイル画像と、画像保管手段に保存される画像に共通な患者ＩＤ、撮影条件等の画像特定情報を付与することで、サムネイル画像を基にした原画像の参照が確実に行える。
【００４９】
（４）サムネイル画像と、画像保管手段に保存される画像に、付与した検査依頼情報を統合して管理することで、大規模ネットワーク管理下においても、正確な画像管理システムを構築することができる。
【図面の簡単な説明】
【図１】第１の実施の形態の外観構成図である。
【図２】光学的・電気的構成図である。
【図３】撮影画像データの説明図である。
【図４】眼底画像表示ウィンドウの説明図である。
【図５】処理フローチャート図である。
【図６】第２の実施の形態における眼科撮影装置の外観構成図である。
【図７】撮影管理情報の説明図である。
【図８】撮影画像データの説明図である。
【符号の説明】
２  測定部
３、４  眼底撮影手段
６  インラフェイス
７  画像ファイリング装置
９  表示手段
１１  観察用光源
１３  撮影用光源
３０、３４  電子撮像素子
４１  撮影制御部
４２  撮影画像記録手段
５１  眼底画像表示ウィンドウ
６１  ＣＰＵ
【図１】
2005027844.tif 000004
【図２】
2005027844.tif 000005
【図３】
2005027844.tif 000006
【図４】
2005027844.tif 000007
【図５】
2005027844.tif 000008
【図６】
2005027844.tif 000009
【図７】
2005027844.tif 000010
【図８】
2005027844.tif 000011